(57)【要約】      （修正有）【課題】製造時の公差の影響を受けることなくレンチキュラーレンズを通して画像を常に正しく見ることができるようにした画像表示器を提供する。【解決手段】画像シート１４を画像印刷面が表面側に位置する状態で保持する画像シート保持部４を有する。画像シート１４と対向するレンチキュラーレンズ２を有し画像シート保持部４に重ねられたレンズ部３を有する。画像シート保持部４にレンズ部３が重ねられた状態でこれら両部を貫通する固定用ピン５を有する。固定用ピン５は、仮固定状態と締結状態とを切換え可能に形成されている。仮固定状態は、レンズ部３が画像シート保持部４に対して画像印刷面に沿う方向に移動可能な状態である。締結状態は、画像シート保持部４に対する前記レンズ部３の移動が規制されるとともにレンズ部３と画像シート保持部４とで画像シート１４が挟圧される状態である。【選択図】図１
0003173167.tif 000002
【実用新案登録請求の範囲】
【請求項１】
レンチキュラーレンズを通して見る画像が印刷された画像シートを画像印刷面が表面側に位置する状態で保持する画像シート保持部と、
前記画像シートと対向するレンチキュラーレンズを有し、前記画像シート保持部との間に前記画像シートを挟む状態で前記画像シート保持部に重ねられたレンズ部と、
前記画像シート保持部に前記レンズ部が重ねられた状態でこれら両部を貫通する固定用ピンとを備え、
前記固定用ピンは、前記レンズ部が前記画像シート保持部に対して前記画像印刷面に沿う方向に移動可能な仮固定状態と、
前記画像シート保持部に対する前記レンズ部の移動が規制されるとともに前記レンズ部と前記画像シート保持部とで前記画像シートが挟圧される締結状態とを切換え可能に形成されているものであることを特徴とする画像表示器。
【請求項２】
請求項１記載の画像表示器において、前記固定用ピンは、軸部と、この軸部の一端部に軸線方向とは直交する方向に突設された凸部と、前記軸部の他端部に設けられた摘み部とを有し、
前記画像シート保持部と前記レンズ部とには、前記固定用ピンの軸部および凸部を挿入可能な貫通孔がそれぞれ形成され、
前記画像シート保持部の裏面であって前記貫通孔の周囲には、この貫通孔を前記軸部が貫通しかつ前記凸部が画像シート保持部の裏面側に位置する状態で前記固定用ピンが前記軸部を中心にして回されることによって前記凸部と接触する係合部が設けられ、
前記係合部は、固定用ピンの前記回転に伴って移動する前記凸部の移動経路に沿って延びるように形成され、
前記係合部の一端部は、画像シート保持部の表面との間隔が他端部に較べて短く形成されるとともに、この一端部に前記凸部が接触することにより前記固定用ピンが前記仮固定状態となるように形成され、
係合部の他端部は、この他端部に凸部が接触することにより前記固定用ピンが前記締結状態となるように形成されていることを特徴とする画像表示器。
【請求項３】
請求項１または請求項２記載の画像表示器において、前記画像シートは、前記画像シート保持部に形成された凹部に嵌合することにより前記画像シート保持部に保持され、
前記凹部の底部分には、多数のばね片が設けられ、
前記ばね片は、一端が自由端になりかつ他端が前記底部分に接続された片持ち支持式のものであり、
前記ばね片における画像シート保持部の表面側には、前記凹部の底面より凹部内に突出する突起が設けられていることを特徴とする画像表示器。
【請求項４】
請求項１ないし請求項３のうちいずれか一つに記載の画像表示器において、前記画像シートに印刷された前記画像は、前記レンチキュラーレンズを通して見るときに見る角度を変えることによって絵柄が変わるものであり、
前記画像シート保持部と前記レンズ部とからなる組立体には、前記レンチキュラーレンズを構成する多数の凸レンズが横方向に延びる状態で前記レンズ部が前方を指向するようにこの組立体を起立させて支持するスタンドが着脱自在に取付けられ、
前記スタンドには、前記組立体の側方から見た角度が一定に保たれる第１の載置部と、
前後方向に延びる凸曲面からなる載置面を有しかつ前記組立体が前後方向に揺動自在になる第２の載置部とが設けられ、
前記スタンドは、前記第１の載置部を使用して前記組立体を支持する第１の支持形態と、前記第２の載置部を使用して前記組立体を支持する第２の支持形態とを切換えることが可能なものであることを特徴とする画像表示器。
【請求項５】
請求項１ないし請求項４のうちいずれか一つに記載の画像表示器において、前記画像シートはジグソーパズルであることを特徴とする画像表示器。
【考案の詳細な説明】
【技術分野】
【０００１】
本考案は、レンチキュラーレンズを有する画像表示器に関するものである。
【背景技術】
【０００２】
従来のこの種の画像表示器としては、例えば特許文献１に記載されているものがある。特許文献１に開示された画像表示器は、表示器本体とレンチキュラーレンズとの間に画像シートを挟む構造が採られている。画像シートは、レンチキュラーレンズを重ねて見る画像を有し、紙又はプラスチックフィルムによって形成されている。
【０００３】
ところで、レンチキュラーレンズを通して画像を見る場合、レンチキュラーレンズを構成する多数の断面かまぼこ状の凸レンズと、レンチキュラーレンズを通して見るために分割して形成された多数の分割画像とを正確に合わせる必要がある。
この画像表示器において、上記各凸レンズと分割画像との位置合わせは、複数の位置決めピンをレンチキュラーレンズと画像シートとに貫通させることによって行われている。すなわち、レンチキュラーレンズと画像シートとには、前記位置合わせを行うために複数の貫通孔が予め穿設されている。また、表示器本体には、前記複数の位置決めピンが立設されている。
【先行技術文献】
【特許文献】
【０００４】
【特許文献１】特開２００３−３４４８０７号公報
【考案の概要】
【考案が解決しようとする課題】
【０００５】
しかしながら、特許文献１に記載されている画像表示器では、レンチキュラーレンズを通して見える画像の奥行きが十分でなかったり、画像が不自然に歪んで見えるおそれがあった。これは、前記位置決めピンの位置、太さ、貫通孔の位置、孔径などには必ず公差があるし、製造誤差を０にすることは難しいからである。特許文献１に示す画像表示器は、上述したような場合に画像を正しく見ることができるように修正することはできないものである。
【０００６】
本考案は、このような問題を解消するためになされたもので、製造時の公差の影響を受けることなくレンチキュラーレンズを通して画像を常に正しく見ることができる画像表示器を提供することを目的とする。
【課題を解決するための手段】
【０００７】
この目的を達成するために、本考案に係る画像表示器は、レンチキュラーレンズを通して見る画像が印刷された画像シートを画像印刷面が表面側に位置する状態で保持する画像シート保持部と、前記画像シートと対向するレンチキュラーレンズを有し、前記画像シート保持部との間に前記画像シートを挟む状態で前記画像シート保持部に重ねられたレンズ部と、前記画像シート保持部に前記レンズ部が重ねられた状態でこれら両部を貫通する固定用ピンとを備え、前記固定用ピンは、前記レンズ部が前記画像シート保持部に対して前記画像印刷面に沿う方向に移動可能な仮固定状態と、前記画像シート保持部に対する前記レンズ部の移動が規制されるとともに前記レンズ部と前記画像シート保持部とで前記画像シートが挟圧される締結状態とを切換え可能に形成されているものである。
【０００８】
本考案は、上記考案において、前記固定用ピンは、軸部と、この軸部の一端部に軸線方向とは直交する方向に突設された凸部と、前記軸部の他端部に設けられた摘み部とを有し、前記画像シート保持部と前記レンズ部とには、前記固定用ピンの軸部および凸部を挿入可能な貫通孔がそれぞれ形成され、前記画像シート保持部の裏面であって前記貫通孔の周囲には、この貫通孔を前記軸部が貫通しかつ前記凸部が画像シート保持部の裏面側に位置する状態で前記固定用ピンが前記軸部を中心にして回されることによって前記凸部と接触する係合部が設けられ、前記係合部は、固定用ピンの前記回転に伴って移動する前記凸部の移動経路に沿って延びるように形成され、前記係合部の一端部は、画像シート保持部の表面との間隔が他端部に較べて短く形成されるとともに、この一端部に前記凸部が接触することにより前記固定用ピンが前記仮固定状態となるように形成され、係合部の他端部は、この他端部に凸部が接触することにより前記固定用ピンが前記締結状態となるように形成されているものである。
【０００９】
本考案は、上記考案において、前記画像シートは、前記画像シート保持部に形成された凹部に嵌合することにより前記画像シート保持部に保持され、前記凹部の底部分には、多数のばね片が設けられ、前記ばね片は、一端が自由端になりかつ他端が前記底部分に接続された片持ち支持式のものであり、前記ばね片における画像シート保持部の表面側には、前記凹部の底面より凹部内に突出する突起が設けられているものである。
【００１０】
本考案は、上記考案において、前記画像シートに印刷された前記画像は、前記レンチキュラーレンズを通して見るときに見る角度を変えることによって絵柄が変わるものであり、前記画像シート保持部と前記レンズ部とからなる組立体には、前記レンチキュラーレンズを構成する多数の凸レンズが横方向に延びる状態で前記レンズ部が前方を指向するようにこの組立体を起立させて支持するスタンドが着脱自在に取付けられ、前記スタンドには、前記組立体の側方から見た角度が一定に保たれる第１の載置部と、前後方向に延びる凸曲面からなる載置面を有しかつ前記組立体が前後方向に揺動自在になる第２の載置部とが設けられ、前記スタンドは、前記第１の載置部を使用して前記組立体を支持する第１の支持形態と、前記第２の載置部を使用して前記組立体を支持する第２の支持形態とを切換えることが可能なものであることを特徴とする。
【００１１】
本考案は、上記考案において、前記画像シートはジグソーパズルであることを特徴とする。
【考案の効果】
【００１２】
本考案に係る画像表示器を組立てるためには、先ず、画像シート保持部に画像シートを保持させ、その後、画像シート保持部にレンズ部を重ねる。そして、固定用ピンをレンズ部と画像シート保持部の貫通孔に挿入して仮固定状態とする。この状態で利用者がレンチキュラーレンズを通して画像が正しく見えるように手でレンズ部と画像シート保持部とを相対的に移動させる。
画像が正しく見える状態で利用者が固定用ピンを締結状態とすることによって、この画像表示器の組立作業が完了する。
このため、本考案においては、使用者が画像を見ながらレンチキュラーレンズと画像の位置合わせを行うことができ、かつ固定用ピンを操作してレンズ部を画像シート保持部に簡単に固定できるものである。したがって、本考案によれば、製造時の公差の影響を受けることなくレンチキュラーレンズを通して立体画像を常に正しく見ることが可能な画像表示器を提供することができる。
【図面の簡単な説明】
【００１３】
【図１】本考案に係る画像表示器の正面図で、同図においては、レンズ部の一部と画像シートの一部を省略した状態で描いてある。
【図２】レンズ部の正面図である。
【図３】画像シート保持部の正面図である。
【図４】画像シート保持部の背面図である。
【図５】係合部を説明するための図で、同図（Ａ）は係合部を拡大して示す背面図、同図（Ｂ）は係合部の構成を示す断面図である。同図（Ａ）においては、固定用ピンを破断した状態で描いてある。
【図６】画像表示器の一部を拡大して示す断面図である。同図の破断位置は、図１においてVI−VI線で示す位置である。
【図７】画像シート保持部の表側の一部を拡大して示す斜視図である。
【図８】画像シート保持部の裏側の一部を拡大して示す斜視図である。
【図９】固定用ピンの正面図である。
【図１０】固定用ピンの側面図である。
【図１１】固定用ピンの斜視図である。
【図１２】スタンドの側面図である。
【図１３】スタンドの斜視図である。
【図１４】レンズ部と画像との位置合わせを行うときの状態を示す図で、同図は画像表示器の一部の正面図である。
【図１５】固定用ピンを締結位置に回した状態を示す図で、同図は画像表示器の一部の正面図である。
【図１６】第１の支持形態となるスタンドで画像表示器を立てた状態を示す斜視図である。
【図１７】第１の支持形態となるスタンドで画像表示器を立てた状態を示す斜視図である。
【図１８】第２の支持形態となるスタンドで画像表示器を立てた状態を示す斜視図である。
【図１９】第２の支持形態となるスタンドで画像表示器を立てた状態を示す斜視図である。
【考案を実施するための形態】
【００１４】
以下、本考案に係る画像表示器の一実施の形態を図１〜図１９によって詳細に説明する。この実施の形態においては、画像表示器の表側（正面側）を前側あるいは前部といい、裏側を後側あるいは後部という。また、前側と後側とを結ぶ方向を前後方向という。
図１に示す画像表示器１は、レンチキュラーレンズ２を有するレンズ部３と、このレンズ部３と重ねられた画像シート保持部４と、この画像シート保持部４に前記レンズ部３を固定するための複数の固定用ピン５とを備えている。
【００１５】
前記レンズ部３は、透明なプラスチック材料によって正面視において長方形状に形成されている。このレンズ部３の中央部には、正面視長方形状のレンチキュラーレンズ２が設けられている。また、このレンズ部３の外縁部には、レンチキュラーレンズ２より後方に延びる細い帯状の枠体６が一体に形成されている。この枠体６は、レンズ部３の外縁部の全域に途切れることなく一連に設けられている。この枠体６によって形成される長方形状の開口部は、後述する画像シート保持部４を遊嵌状態で挿入できる大きさに形成されている。
【００１６】
前記レンチキュラーレンズ２は、従来からよく知られているように、断面かまぼこ型の多数の凸レンズ７（図１，２参照）を並べた構造のものである。各凸レンズ７は、図２において縦方向（上下方向）に延びるとともに、図２において左右方向に並べられている。
レンズ部３の四隅と対応する部分には、図２に示すように、後述する固定用ピン５を挿入するための貫通孔８が形成されている。この貫通孔８には、固定用ピン５を挿入するときに目安となるように切り欠き８ａが形成されている。この切り欠き８ａは、貫通孔８の開口部分がレンズ部３の長手方向の中央に向けて拡がるように形成されている。
【００１７】
固定用ピン５は、図９〜図１１に示すように、軸部１１と、この軸部１１の一端部に軸線方向とは直交する方向に突設された凸部１２と、前記軸部１１の他端部に設けられた摘み部１３とによって構成されている。軸部１１は、円柱状に形成されている。軸部１１の軸線方向の長さは、軸部１１がレンズ部３と後述する画像シート保持部４とを貫通して凸部１２が画像シート保持部４の裏側に位置付けられるように形成されている。前記凸部１２は、四角柱状に形成されている。前記摘み部１３は、有底円筒状に形成されている。前記レンズ部３の前記貫通孔８は、前記軸部１１および前記凸部１２は挿入可能な大きさであって、かつ前記摘み部１３は挿入することができない大きさに形成されている。
【００１８】
前記レンズ部３と画像シート保持部４との間には、図１および図６に示すように、画像シート１４が挟まれている。この画像シート１４は、前記レンチキュラーレンズ２を重ねることによって立体的に見える立体画像（図示せず）が多数のピース１５（図１参照）に印刷されたジグソーパズルである。本考案に係る画像表示器１は、前記画像シート１４にレンチキュラーレンズ２を重ね、前記立体画像を立体的に見えるようにするためのものである。画像シート１４としては、１種類の立体画像が印刷されたものの他に、前記レンチキュラーレンズ２を通して見るときに見る角度を変えることによって絵柄が変わるもの（以下、単にスイング式画像シートという）を用いることができる。
【００１９】
このスイング式画像シート１４としては、見る角度が変わることにより２枚の絵柄が交互に表示されたり、絵柄が連続的に変わる動画（アニメーションやモーション等）が表示されるものなどを用いることができる。なお、これらの画像シート１４の画像は、レンチキュラーレンズ２の凸レンズ７が並ぶ方向に分割されたものが用いられている。
この実施の形態による画像シート１４は、図１に示すように、前方から見てレンチキュラーレンズ２と同等の長方形状に形成されており、後述する画像シート保持部４の凹部１６に嵌合している。すなわち、画像シート１４は、画像印刷面１４ａが画像シート保持部４の表面側に位置する状態で画像シート保持部４に保持されている。
【００２０】
画像シート保持部４は、図３および図４に示すように、正面視において長方形状に形成されており、中央部に位置する前記凹部１６と、この凹部１６の周囲に位置する枠部１７とによって構成されている。画像シート保持部４の外形寸法（縦の長さと横の長さ）は、前記レンズ部３の枠体６の内部に遊嵌状態で嵌合できるように形成されている。この画像シート保持部４と前記枠体６との間には、図６に示すように、予め定めた広さの調整用の隙間Ｓが形成されている。
【００２１】
前記凹部１６は、画像シート１４が嵌合する形状に形成されている。凹部１６の深さは、この凹部１６に嵌合した画像シート１４の表面（画像印刷面１４ａ）が前記枠部１７の表面１７ａより僅かに突出するように形成されている。画像シート１４は、この凹部１６に嵌合することによって画像シート保持部４に保持される。
凹部１６の底部分には、図３，４，６，７に示すように、多数のばね片１８が設けられている。このばね片１８は、一端が自由端になりかつ他端が前記底部分に接続された片持ち支持式のものである。この実施の形態によるばね片１８は、画像シート保持部４を成形する成形型（図示せず）によって前記底部分に一体に形成されている。このばね片１８は、凹部１６の底壁１６ａの一部であって、底壁１６ａに形成されたＵ字状の穴１６ｂの内側に残存する部分である。
【００２２】
このばね片１８における画像シート保持部４の表面側には、図６および図７に示すように、前記凹部１６の底面より凹部１６内に突出する突起１９が設けられている。この突起１９は、図３に示すように、正面視において円形に形成されている。すなわち、この突起１９は、凹部１６に嵌合した画像シート１４の裏面に接触する。画像シート１４は、凹部１６に嵌合した状態で画像シート保持部４の表面より突出するから、画像シート保持部４に前記レンズ部３が重ねられて押し付けられることによって、突起１９を裏側へ押すようになる。
【００２３】
ばね片１８は、このように突起１９が画像シート１４によって裏側へ押されることによって、自由端が裏側に変位するように弾性変形する（図６参照）。すなわち、画像シート１４は、レンズ部３が画像シート保持部４に押し付けられた状態において、ばね片１８のばね力でレンズ部３の裏面に押し付けられる。
前記突起１９は、図１に示すように、各ピース１５の四隅と対向する位置に配置されている。
【００２４】
画像シート保持部４の枠部１７には、図３および図４に示すように、固定用ピン５を挿入するための貫通孔２１と、固定用ピン５が係合する係合部２２（図４，５，８参照）と、スタンド用取付穴２３（図４参照）などが設けられている。
前記貫通孔２１は、正面視長方形に形成された画像シート保持部４の四隅であって、前記レンズ部３の貫通孔８と正面視において重なるような位置にそれぞれ形成されている。貫通孔２１は、固定用ピン５の軸部１１が挿入される円形部２１ａ｛図５（Ａ）参照｝と、凸部１２が挿入される矩形部２１ｂとによって構成されている。
【００２５】
矩形部２１ｂは、円形部２１ａから画像シート保持部４の長手方向の中央に向けて延びるように形成されている。このため、固定用ピン５を前記レンズ部３の貫通孔８に挿入するときに凸部１２を前記切り欠き８ａに合わせることによって、凸部１２が前記矩形部２１ｂに挿入される。固定用ピン５は、レンズ部３を画像シート保持部４に固定するときに、前記貫通孔８，２１にレンズ部３側から挿入され、軸部１１が前記貫通孔８，２１を貫通しかつ凸部１２が画像シート保持部４の裏面側に位置する状態で軸部１１を中心にして回される。以下においては、固定用ピン５をこのように回す操作を単に締結操作という。
【００２６】
前記係合部２２は、上述した締結操作が行われた固定用ピン５と協働してレンズ部３と画像シート保持部４とを相互に移動できないように締結するためのものである。この係合部２２は、前記締結操作により回された固定用ピン５の前記凸部１２と接触するように形成されている。この実施の形態による係合部２２は、図５（Ａ）および図８に示すように、前記貫通孔２１の周囲に形成された筒状壁２４の内側に設けられており、固定用ピン５の前記回転に伴って移動する前記凸部１２の移動経路に沿って後方視Ｃ字状に延びている。
【００２７】
前記筒状壁２４には、凸部１２との当接により固定用ピン５の回転を規制する突起２５が設けられている。すなわち、この係合部２２は、前記矩形部２１ｂと隣接する一端部２２ａから筒状壁２４の突起２５と隣接する他端部２２ｂまで延びるように形成されている。このため、固定用ピン５は、凸部１２が矩形部２１ｂに挿入された初期位置と、凸部１２が突起２５に当たる締結位置との間で回ることができる。固定用ピン５は、前記締結操作時に前記初期位置から図５（Ａ）において反時計方向に約３／４回転程度回った後に締結位置で停止される。
【００２８】
係合部２２の後面は、固定用ピン５を初期位置から回すときの角度が増加するにしたがって次第に画像シート保持部４の後方に位置するように傾斜している。言い換えれば、係合部２２は、前記角度が増加するにしたがって次第に後方に位置する螺旋状に形成されている。すなわち、係合部２２の一端部２２ａ（矩形部２１ｂと隣接する端部）は、図５（Ｂ）に示すように、画像シート保持部４の表面（枠部１７の表面１７ａ）との間隔が他端部２２ｂ（突起２５と隣接する端部）に較べて短く形成されている。図５（Ｂ）は、螺旋状に傾斜する係合部２２を仮に直線状に展開した状態で描いてある。図５（Ｂ）に示す係合部２２の傾斜角度は、構造を理解し易くするために、実際より大きく傾斜するように誇張して描いてある。なお、係合部２２の構造は、この実施の形態に示す螺旋状の構造に限定されることはない。係合部２２は、例えば一端部２２ａと他端部２２ｂとをそれぞれ平坦面に形成し、これら両部どうしを傾斜面で接続した構造を採ることができる。
【００２９】
この実施の形態による固定用ピン５は、前記初期位置から図５（Ａ）において反時計方向に約９０°程度回された状態においては、仮固定状態となるように形成されている。ここでいう仮固定状態とは、前記レンズ部３が前記画像シート保持部４に対して前記画像印刷面１４ａに沿う方向に移動可能な状態をいう。また、固定用ピン５は、前記締結位置に回されることによって、凸部１２と摘み部１３との間にレンズ部３と画像シート保持部４とが挟み込まれた締結状態になるように形成されている。ここでいう締結状態とは、前記画像シート保持部４に対する前記レンズ部３の移動が規制されるとともに、前記レンズ部３と前記画像シート保持部４とで前記画像シート１４が挟圧される状態をいう。
固定用ピン５は、上述したように初期位置と締結位置との間で回されることによって、前記仮固定状態と前記締結状態とを切換えることができるものである。
【００３０】
画像シート保持部４の前記スタンド用取付穴２３は、前記レンズ部３と前記画像シート保持部４とからなる組立体３１（図１参照）にスタンド３２（図１、図１２および図１３参照）を取付けるためのものである。この取付穴２３は、図４に示すように、画像シート保持部４の裏側であって、後方から見て長方形状を呈する画像シート保持部４の各辺に二つずつ形成されている。この実施の形態によるスタンド３２は、前記組立体３１の下端部の二箇所に取付けられ、前記レンズ部３が前方を指向するように前記組立体３１を起立させて支持する。
【００３１】
前記スタンド３２は、図１２および図１３に示すように、細長い板状に形成されている。このスタンド３２の長手方向の一端部には、前記取付穴２３に着脱自在に嵌合する円柱状の突起３３が設けられている。このスタンド３２の長手方向に延びる一側面は、凸曲面３４となるように形成されている。この一側面とは反対側に位置する他側面は、長手方向に延びる平坦面３５と、この平坦面３５に開口する切り欠き３６とによって構成されている。前記切り欠き３６は、前記組立体３１が着脱自在に嵌合する形状に形成されている。また、この切り欠き３６は、前記平坦面３５に対して予め定めた角度で傾斜して形成されており、スタンド３２の長手方向の一端側に偏る位置に設けられている。この実施の形態による切り欠き３６は、前記突起３３とは反対側に位置付けられている。
【００３２】
このスタンド３２は、前記平坦面３５が下に位置する状態で前記突起３３を前記スタンド用取付穴２３に嵌合させた場合は、前記組立体３１を側方から見た角度が一定に保たれるように支持するものとなる。この場合、前記組立体３１の下端部に位置する二つのスタンド用取付穴２３にそれぞれスタンド３２が取付けられる。この実施の形態においては、前記平坦面３５を有するスタンド３２の一側部によって、請求項４記載の考案でいう「第１の載置部」が構成されている。
【００３３】
また、このスタンド３２は、前記切り欠き３６に前記組立体３１の下端部を嵌合させた場合は、前記凸曲面３４が載置面となり、前記組立体３１を前後方向に揺動自在に支持するものとなる。この実施の形態においては、前記凸曲面３４を有するスタンド３２の他側部によって、本考案でいう「第２の載置部」が構成されている。すなわち、この実施の形態による前記スタンド３２は、前記平坦面３５を載置面として前記組立体３１を支持する第１の支持形態（図１６および図１７参照）と、前記凸曲面３４を載置面として前記組立体３１を支持する第２の支持形態（図１８および図１９参照）とを切換えることが可能なものである。
【００３４】
このように構成された画像表示器１によって画像シート１４の立体画像を表示させるためには、先ず、レンズ部３を画像シート保持部４から外した状態で画像シート保持部４の凹部１６に画像シート１４を嵌合させて保持させる。そして、画像シート１４が画像シート保持部４との間に挟まれるように、レンズ部３を画像シート保持部４の表面（前面）に被せて重ねる。
しかる後、固定用ピン５をレンズ部３の貫通孔８と画像シート保持部４の貫通孔２１とに前方から挿入する。この挿入作業は、たとえば使用者が片手で前記組立体３１を把持し、他方の手で固定用ピン５を持って行う。また、この挿入作業は、貫通孔８の切り欠き８ａに固定用ピン５の凸部１２が挿入されるように行う。このとき、固定用ピン５は、摘み部１３がレンズ部３に当たるまで挿入される。この状態で固定用ピン５の軸部１１がレンズ部３と画像シート保持部４とを貫通し、凸部１２が画像シート保持部４の裏面側に位置するようになる。そして、図１４に示すように、固定用ピン５を前方（レンズ部３側）から見て時計方向に約９０°回して仮固定状態にする。
【００３５】
４箇所ずつある貫通孔８，２１にそれぞれ固定用ピン５を挿入し、全ての固定用ピン５を仮固定状態とした後、使用者が両手で前記組立体３１を把持した状態で、レンチキュラーレンズ２を通して立体画像が正しく見えるように調整作業を行う。この調整作業は、使用者がレンズ部３を通して立体画像を見ながら、レンズ部３を画像シート保持部４に対して上下方向や左右方向に平行移動させたり、前後方向の軸線回りに僅かに回転させて行う。
立体画像が正しく見えるように調整された後、使用者は、片手で前記組立体３１を把持しながら、他方の手で全ての固定用ピン５をそれぞれ締結位置まで回す(図１５参照）。固定用ピン５が締結位置まで回されることによって、レンズ部３が画像シート保持部４に対して固定され、レンチキュラーレンズ２が画像シート１４に密着する。
【００３６】
このように組み立てられた組立体３１を起立させて載置するためには、図１６〜図１９に示すように、組立体３１の下端部に二つのスタンド３２を取付ける。１種類の立体画像が表示される画像シート１４を使用している場合は、図１６および図１７に示すように、スタンド３２を平坦面３５が載置面となるように組立体３１に取付け、組立体３１を上下方向に縦長となるように起立させる。一方、画像シート１４として前記スイング式画像シートを用いている場合は、図１８および図１９に示すように、組立体３１の下端部をスタンド３２の切り欠き３６に嵌合させ、凸曲面３４が載置面となるようにスタンド３２を組立体３１に取付ける。この場合は、前記組立体３１を左右方向に横長となるように起立させる。このように凸曲面３４が下に位置する状態においては、組立体３１を前後方向に揺動させることが可能になる。すなわち、使用者が組立体３１を前後方向に揺らして手を離すことによって、スイング式画像シート１４に印刷されているたとえばモーション画像を画像表示器１に手を触れることなく鑑賞することが可能になる。
【００３７】
上述したように、この実施の形態による画像表示器１は、使用者が立体画像を見ながらレンチキュラーレンズ２と画像シート１４との位置合わせを行い、位置合わせが完了したときに固定用ピン５を締結状態として前記両者の相互の位置を固定するものである。このため、この実施の形態によれば、簡単に組み立てることができるにもかかわらず、製造時の公差の影響を受けることなくレンチキュラーレンズ２を通して立体画像を常に正しく見ることが可能な画像表示器を提供することができる。
【００３８】
この実施の形態による前記係合部２２は、固定用ピン５の締結操作による回転に伴って移動する凸部１２の移動経路に沿って延びるように形成されている。この係合部２２の一端部２２ａは、画像シート保持部４の表面（枠部１７の表面１７ａ）との間隔が他端部２２ｂに較べて短く形成されるとともに、この一端部２２ａに前記凸部１２が接触することにより前記固定用ピン５が仮固定状態となるように形成されている。また、この係合部２２の他端部２２ｂは、この他端部２２ｂに凸部１２が接触することにより固定用ピン５が締結状態となるように形成されている。
このため、固定用ピン５を回すだけの簡単な締結操作によってレンズ部３と画像シート保持部４とを互いに移動することができないように固定することができる。したがって、この実施の形態によれば、レンズ部３と画像シート１４との位置合わせが完了した後に速くレンズ部３を画像シート保持部４に固定することができるから、容易に組立てることが可能な画像表示器を提供することができる。
【００３９】
この実施の形態による前記画像シート１４は、前記画像シート保持部４に形成された凹部１６に嵌合することにより前記画像シート保持部４に保持されている。前記凹部１６の底部分には、片持ち支持式の多数のばね片１８が設けられている。このばね片１８における画像シート保持部４の表面側には、前記凹部１６の底面より凹部１６内に突出する突起１９が設けられている。
このため、この実施の形態による画像表示器１は、画像シート１４をばね片１８のばね力で裏側から押し、レンチキュラーレンズ２に押し付けることができるものとなる。したがって、この実施の形態によれば、レンチキュラーレンズ２を通して立体画像をより一層明瞭に見ることができるようになる。
また、この実施の形態による前記突起１９は、図１に示すように、ジグソーパズルの各ピース１５の四隅と対向する位置に配置されている。このため、各ピース１５にばね片１８のばね力が略均等に加えられるから、画像シート１４の画像がピース１５毎に分割されているにもかかわらず、レンチキュラーレンズ２を通して明瞭な立体画像を見ることができる。
【００４０】
この実施の形態による画像表示器１は、前記組立体３１の側方から見た角度が一定に保たれる第１の支持形態と、前記組立体３１が前後方向に揺動自在になる第２の支持形態とを切換え可能なスタンド３２を備えている。
このため、この画像表示器１は、前記第２の支持形態となるようにスタンド３２を取付けることによって、前記スイング式画像シート１４を使用することができるようになる。すなわち、使用者が画像表示器１を前後方向に揺らしてから手を離すことによって、画像表示器１が揺れ続け、使用者が画像表示器１に触れることなくたとえばモーション画像を鑑賞することができる。
【００４１】
この実施の形態による画像表示器１は、ジグソーパズルからなる画像シート１４を表示するものであるから、ジグソーパズルを作る楽しみと、ジグソーパズルを作った後に立体画像を見る楽しみとを利用者に与えることができる。
なお、本考案に係る画像表示器１に使用する画像シート１４は、ジグソーパズルに限定されることはなく、立体画像が印刷された一枚のシートによって構成することができる。
【符号の説明】
【００４２】
１…画像表示器、２…レンチキュラーレンズ、３…レンズ部、４…画像シート保持部、５…固定用ピン、８，２１…貫通孔、１１…軸部、１２…凸部、１３…摘み部、１４…画像シート、１４ａ…画像印刷面、１５…ピース、１６…凹部、１８…ばね片、１９…突起、２２…係合部、３２…スタンド、３４…凸曲面、３５…平坦面、３６…切り欠き。
【図１】
0003173167.tif 000003
【図２】
0003173167.tif 000004
【図３】
0003173167.tif 000005
【図４】
0003173167.tif 000006
【図５】
0003173167.tif 000007
【図６】
0003173167.tif 000008
【図７】
0003173167.tif 000009
【図８】
0003173167.tif 000010
【図９】
0003173167.tif 000011
【図１０】
0003173167.tif 000012
【図１１】
0003173167.tif 000013
【図１２】
0003173167.tif 000014
【図１３】
0003173167.tif 000015
【図１４】
0003173167.tif 000016
【図１５】
0003173167.tif 000017
【図１６】
0003173167.tif 000018
【図１７】
0003173167.tif 000019
【図１８】
0003173167.tif 000020
【図１９】
0003173167.tif 000021